(57)【要約】【課題】  上下方向と、左右長手方向と、に伸縮自在であるスライドパネルを提供することを目的とする。【解決手段】  左下半体１と右下半体２と左上半体３と右上半体４から成る４枚の半体Ｈを備える。そして、左下半体１に対して右下半体２を左右長手方向に伸縮自在とする第１伸縮ガイド機構Ｓ1 を備える。さらに、左上半体３に対して右上半体４を左右長手方向に伸縮自在とする第２伸縮ガイド機構Ｓ2 を備える。さらに、左下半体１と右下半体２に対して左上半体３と右上半体４を上下方向に伸縮自在とする第３伸縮ガイド機構Ｕを備える。【選択図】  図16
2004205199.tif 000002
【特許請求の範囲】
【請求項１】
左下半体（１）と、右下半体（２）と、左上半体（３）と、右上半体（４）と、を左右及び上下に、寸法可変に組み立てたことを特徴とするスライドパネル。
【請求項２】
窓部（Ｗ）を備えたことを特徴とする請求項１記載のスライドパネル。
【請求項３】
窓部（Ｗ）を閉じるように張設された繊維フィルター（５）を備えたことを特徴とする請求項２記載のスライドパネル。
【請求項４】
左下半体（１）と右下半体（２）、左上半体（３）と右上半体（４）、が長手方向に伸縮自在であることを特徴とする請求項１、または３記載のスライドパネル。
【請求項５】
左下半体（１）と右下半体（２）、に対して左上半体（３）と右上半体（４）、が上下方向に伸縮自在であることを特徴とする請求項４記載のスライドパネル。
【請求項６】
長手方向に自在にスライドする伸縮ガイド機構（Ｓ）を有する請求項４記載のスライドパネル。
【請求項７】
接続部（Ｊ）と、補助スライド（７）と、を有し、上下方向に自在にスライドする伸縮ガイド機構（Ｔ）を有する請求項５記載のスライドパネル。
【請求項８】
ジョイント材（６）を用いて任意の方向に接続自在である請求項７記載のスライドパネル。
【請求項９】
左下半体（１）と右下半体（２）と左上半体（３）と右上半体（４）から成る４枚の半体（Ｈ）を備え、
上記左下半体（１）に対して上記右下半体（２）を左右長手方向に伸縮自在とする第１伸縮ガイド機構（Ｓ1 ）と、
上記左上半体（３）に対して上記右上半体（４）を左右長手方向に伸縮自在とする第２伸縮ガイド機構（Ｓ2 ）と、
上記左下半体（１）と上記右下半体（２）に対して上記左上半体（３）と上記右上半体（４）を上下方向に伸縮自在とする第３伸縮ガイド機構（Ｕ）と、を備えたことを特徴とするスライドパネル。
【請求項１０】
上記第１伸縮ガイド機構（Ｓ1 ）は、上記左下半体（１）と上記右下半体（２）のどちらか一方の半体（Ｈ）の上下辺部に付設された内挿ガイド部（13)(13）と、他方の半体（Ｈ）の上下辺部に付設され該内挿ガイド部（13)(13）をスライド自在として外包状に保持する外包ガイド部（12)(12）と、上記上下辺部に設けられて上記左下半体（１）と上記右下半体（２）の左右長手方向の最大伸長を規制するストッパ部（Ｚ）と、を有する請求項９記載のスライドパネル。
【請求項１１】
上記第２伸縮ガイド機構（Ｓ2 ）は、上記左上半体（３）と上記右上半体（４）のどちらか一方の半体（Ｈ）の上下辺部に付設された内挿ガイド部（13)(13）と、他方の半体（Ｈ）の上下辺部に付設され該内挿ガイド部（13)(13）をスライド自在として外包状に保持する外包ガイド部（12)(12）と、上記上下辺部に設けられて上記左上半体（３）と上記右上半体（４）の左右長手方向の最大伸長を規制するストッパ部（Ｚ）と、を有する請求項９又は10記載のスライドパネル。
【請求項１２】
上記第３伸縮ガイド機構（Ｕ）は、上記左下半体（１）と上記左上半体（３）のどちらか一方の半体（Ｈ）の左側辺部に付設された内挿ガイド部（13）と、他方の半体（Ｈ）の左側辺部に付設され該内挿ガイド部（13）をスライド自在として外包状に保持する外包ガイド部（12）と、を有し、
かつ、上記右下半体（２）と上記右上半体（４）のどちらか一方の半体（Ｈ）の右側辺部に付設された内挿ガイド部（13）と、他方の半体（Ｈ）の右側辺部に付設され該内挿ガイド部（13）をスライド自在として外包状に保持する外包ガイド部（12）と、を有し、
かつ、上記左側辺部と右側辺部に設けられて上記左下半体（１）と上記右下半体（２）に対する上記左上半体（３）と上記右上半体（４）の上下方向の最大伸長を規制するストッパ部（Ｚ）を、有する請求項９，10又は11記載のスライドパネル。                  
【発明の詳細な説明】
【技術分野】
【０００１】
本発明は、コンロやレンジフードに設置するスライドパネルに関する。
【背景技術】
【０００２】
従来、コンロに使用するアルミパネルとしては、１枚の金属薄板乃至金属箔を、１方向または２方向に折り曲げてコンロの周りを遮蔽するだけのものが知られている。
また、レンジフードに使用するアルミパネルとして、長手方向だけがスライドするものが知られている。
【発明の開示】
【発明が解決しようとする課題】
【０００３】
しかし、それらは例えば、コンロにアルミパネルを付設する際、取り付けサイズに融通がきかないため、該コンロの寸法にうまく適合せず、消費者のニーズに合った的確な寸法のアルミパネルをコンロに付設することは不可能であった。さらに、調理等の状況に合わせて、アルミパネルが周りを遮蔽する部分の範囲等を自在に調節することが出来なかった。また、アルミパネルが周り全体を遮蔽しているため、油等が該アルミパネルにこびりついて非常に不潔であった。そして、臭い、煙等がこもり不快でもあった。また、レンジフードに使用されるアルミパネルは、長手方向に伸縮するが、上下方向（幅方向）が一定であるため、付設できないものもあり、また仮に付設できてもその付設後、該レンジフードと該アルミパネルとの間に隙間ができたりして本来の目的が十分に達せられず、そのため使用されるレンジフードの寸法によってアルミパネルを２枚、３枚と併せて該隙間を防ぐため、非常に無駄であり、また厄介でもあった。
【０００４】
そこで、本発明は、コンロやレンジフードの寸法・大きさに、容易に対応できて、取付けが確実かつ容易であり、また、付設方向自在に接続できるスライドパネルを提供することを目的とする。
【課題を解決するための手段】
【０００５】
上記の目的を達成するために、本発明に係るスライドパネルは、左下半体と、右下半体と、左上半体と、右上半体と、を左右及び上下に、寸法可変に組み立てた構成である。
また、窓部を備えている。
また、窓部を閉じるように張設された繊維フィルターを備えている。
また、左下半体と右下半体、左上半体と右上半体、が長手方向に伸縮自在である。
また、左下半体と右下半体、に対して左上半体と右上半体、が上下方向に伸縮自在である。
また、長手方向に自在にスライドする伸縮ガイド機構を有する。
また、接続部と、補助スライドと、を有し、上下方向に自在にスライドする伸縮ガイド機構を有する。
また、ジョイント材を用いて任意の方向に接続自在である。
【０００６】
また、左下半体と右下半体と左上半体と右上半体から成る４枚の半体を備え、上記左下半体に対して上記右下半体を左右長手方向に伸縮自在とする第１伸縮ガイド機構と、上記左上半体に対して上記右上半体を左右長手方向に伸縮自在とする第２伸縮ガイド機構と、上記左下半体と上記右下半体に対して上記左上半体と上記右上半体を上下方向に伸縮自在とする第３伸縮ガイド機構と、を備えている。
【０００７】
第１伸縮ガイド機構は、上記左下半体と上記右下半体のどちらか一方の半体の上下辺部に付設された内挿ガイド部と、他方の半体の上下辺部に付設され該内挿ガイド部をスライド自在として外包状に保持する外包ガイド部と、上記上下辺部に設けられて上記左下半体と上記右下半体の左右長手方向の最大伸長を規制するストッパ部と、を有する。
【０００８】
第２伸縮ガイド機構は、上記左上半体と上記右上半体のどちらか一方の半体の上下辺部に付設された内挿ガイド部と、他方の半体の上下辺部に付設され該内挿ガイド部をスライド自在として外包状に保持する外包ガイド部と、上記上下辺部に設けられて上記左上半体と上記右上半体の左右長手方向の最大伸長を規制するストッパ部と、を有する。
【０００９】
第３伸縮ガイド機構は、上記左下半体と上記左上半体のどちらか一方の半体の左側辺部に付設された内挿ガイド部と、他方の半体の左側辺部に付設され該内挿ガイド部をスライド自在として外包状に保持する外包ガイド部と、を有し、かつ、上記右下半体と上記右上半体のどちらか一方の半体の右側辺部に付設された内挿ガイド部と、他方の半体の右側辺部に付設され該内挿ガイド部をスライド自在として外包状に保持する外包ガイド部と、を有し、かつ、上記左側辺部と右側辺部に設けられて上記左下半体と上記右下半体に対する上記左上半体と上記右上半体の上下方向の最大伸長を規制するストッパ部を、有する。
【発明の効果】
【００１０】
本発明は、次のような著大な効果を奏する。
【００１１】
上下方向と左右長手方向とに自在に伸縮するので、あらゆる大きさのレンジフード（又はコンロ）に対応して、１種類のスライドパネルで取付・設置できるため、安価に製作および購入できる。
また、ジョイント材を用いて方向自在に接続できるので、あらゆる大きさのコンロに対応して設置することができる。
また、略小円管状部により、長手方向と上下方向にスライドするので、伸縮が非常に滑らかである。
また、各半体相互に於て、内挿ガイド部が外包ガイド部内をスライド自在な構成なので、各半体を、長手方向と上下方向とに、非常に滑らかに伸縮することができる。
さらに、各半体に付設されたストッパ部により、各半体の最大伸長が規制されるので、分離することがなく、好都合である。
【発明を実施するための最良の形態】
【００１２】
以下、実施の形態を示す図面に基づき、本発明を詳説する。
図１と図３、及び、図２と図４は、各々、異なる実施の形態を示す。しかも、使用の方法（使用状態）を説明している図である。このような図１と図３、及び、図２と図４に於て、このスライドパネルＰは、レンジフードＲやコンロＫに付設される。図３は、繊維フィルター５を張設されたスライドパネルＰが、レンジフードＲにヨーク付き磁石Ｍによって付設された状態を示し、図４は、複数のスライドパネルＰが、ジョイント材６によって付設方向自在に接続された後、コンロＫに付設された状態を示す。
【００１３】
図５に於て、このスライドパネルＰは、金属薄板製乃至金属箔製の、左下半体１と、右下半体２と、左上半体３と、右上半体４と、を備える。
【００１４】
図６に於て、このスライドパネルＰは、窓部Ｗを形成された後、該窓部Ｗに繊維フィルター５を張設された金属薄板製乃至金属箔製の、左下半体１と、右下半体２と、左上半体３と、右上半体４と、を備える。
【００１５】
図５〜図８に於て、スライドパネルＰは左右長手方向と、上下方向とに、伸縮自在である。すなわち、スライドパネルＰの左右長手方向の伸縮は、左下半体１と右下半体２により、かつ、左上半体３と右上半体４により、自在である。
スライドパネルＰの上下方向の伸縮は、左下半体１と左上半体３、及び、右下半体２と右上半体４により、自在である。図５、図６は、スライドパネルＰの伸長状態を示し、図７、図８は、該スライドパネルＰの短縮状態を示す。図９は、スライドパネルＰがジョイント材６によって任意の方向に接続された状態を示す。
なお、伸縮方向を表現するための矢印Ｘは左右長手方向を示し、矢印Ｙは、上下方向を示す。
【００１６】
このように、スライドパネルＰは左右長手方向と、上下方向と、に伸縮自在なので、図１に示すように、レンジフードＲの左右長手方向の長手方向寸法Ｌ1 と、上下方向の上下方向寸法Ｈ1 と、に応じてスライドパネルＰの長手方向寸法Ｌ2 と、上下方向寸法Ｈ2 と、を調節して付設することができる。
【００１７】
また、スライドパネルＰは左右長手方向と、上下方向と、に伸縮自在、且つ方向変更自在に接続できるので、図２に示すように、コンロＫに必要とされる長手方向寸法Ｌ1 と、前後方向の幅寸法Ｗ1 と、に応じてジョイント材６を介して複数のスライドパネルＰを接続後、適切に付設することができる。さらに、必要に応じて自在にスライドパネルＰの長手方向寸法Ｌ2 、上下方向寸法Ｈ2 を調節して付設することができる。
【００１８】
具体的には、図10に示すように、スライドパネルＰは、伸縮ガイド機構Ｓと、（接続）伸縮ガイド機構Ｔと、の２種類の伸縮機構を有する。この伸縮ガイド機構Ｓは略小円管状部Ｂ、Ｃを有し、（接続）伸縮ガイド機構Ｔは、略小円管状部Ｅ、Ｆと、接続部Ｊと、補助スライド７と、を有する。つまり、左下半体１と右下半体２、左上半体３と右上半体４、の長手方向の伸縮は伸縮ガイド機構Ｓの略小円管状部Ｂ、Ｃのスライドによって伸縮し、左下半体１と左上半体３、右下半体２と右上半体４、の上下方向の伸縮は（接続）伸縮ガイド機構Ｔの略小円管状部Ｅ、Ｆのスライドによって伸縮される。
【００１９】
図11〜図14は、スライドパネルＰの左下半体１と、右下半体２と、左上半体３と、右上半体４と、の斜視図およびその要部拡大図を示す。
【００２０】
つまり、右上半体４（図11参照）は、その下端面と上端面の長手方向に略小円管状部Ｂを有し、その片側の端面の上下方向に略小円管状部Ｆを有する。一方、左上半体３（図12参照）は、その片側の端面の上下方向に略小円管状部Ｆを有し、その下端面と上端面の長手方向に、該右上半体４の下端面と上端面の長手方向に形成されている略小円管状部Ｂを包囲出来るように略包囲状に弯曲する略包囲部Ａと、該略包囲部Ａから連設されて内側に弯曲する略小円管状部Ｃと、を有する。右下半体２（図13参照）は、その下端面と上端面の長手方向に略小円管状部Ｂを有し、その片側の端面の上下方向に複数のスライドパネルＰを簡易に多方向に接続できるように接続部Ｊを形成し、右上半体４の片側の端面の上下方向に形成されている略小円管状部Ｆを包囲出来るように、該接続部Ｊから連設されて略包囲状に弯曲する略包囲部Ｄと、さらに該略包囲部Ｄから連設されて内側に弯曲する略小円管状部Ｅと、を有する。一方、左下半体１（図14参照）は、その下端面と上端面の長手方向に、該右下半体２の下端面と上端面の長手方向に形成されている略小円管状部Ｂを包囲出来るように略包囲状に弯曲する略包囲部Ａと、該略包囲部Ａから連設されて内側に弯曲する略小円管状部Ｃと、を有し、その片側の端面の上下方向に複数のスライドパネルＰを簡易に多方向に接続できるように接続部Ｊを形成し、左上半体３の片側の端面の上下方向に形成されている略小円管状部Ｆを包囲出来るように、該接続部Ｊから連設されて略包囲状に弯曲する略包囲部Ｄと、さらに、該略包囲部Ｄから連設されて内側に弯曲する略小円管状部Ｅと、を有する。
【００２１】
以下、伸縮ガイド機構Ｓ、及び、（接続）伸縮ガイド機構Ｔについて、説明する。
〔伸縮ガイド機構Ｓ〕長手方向に伸縮するときは、左下半体１のその下端面と上端面の長手方向に形成されている略包囲部Ａが、右下半体２のその下端面と上端面の長手方向に形成されている略小円管状部Ｂを略包囲状に包囲しながら、該略包囲部Ａから連設されて形成されている略小円管状部Ｃと、該右下半体２の該略小円管状部Ｂと、がスライドするので軽く滑らかに伸縮することが出来る。左上半体３と右上半体４の長手方向の伸縮も同様である。
【００２２】
〔（接続）伸縮ガイド機構Ｔ〕また、上下方向に伸縮するときは左下半体１のその片側端面の上下方向に形成されている接続部Ｊから連設されて形成されている略包囲部Ｄが、左上半体３の片側の端面の上下方向に形成されている略小円管状部Ｆを略包囲状に包囲しながら、該略包囲部Ｄから連設されて形成されている略小円管状部Ｅと、該左上半体３の片側の端面の上下方向に形成されている略小円管状部Ｆと、がスライドするので軽く滑らかに伸縮することが出来る。右下半体２と右上半体４の上下方向の伸縮も同様である。
【００２３】
以上のような機構であるから、左下半体１と右下半体２が長手方向に伸縮するときは、左上半体３と右上半体４も同時に同方向に長手方向に伸縮する。また、上下方向への伸縮も同様に、左下半体１と左上半体３が上下方向に伸縮するときは、右下半体２と右上半体４、も同時に上下伸縮する。すなわち、スライドパネルＰの長手方向の伸縮は、伸縮ガイド機構Ｓの略小円管状部Ｂと略小円管状部Ｃがスライドし、上下方向の伸縮は、（接続）伸縮ガイド機構Ｔの略小円管状部Ｅと略小円管状部Ｆとのスライドによる。
【００２４】
さらに、伸縮ガイド機構Ｓによって嵌合された左上半体３と右上半体４、と同様に伸縮ガイド機構Ｓによって嵌合された左下半体１と右下半体２、とが（接続）伸縮ガイド機構Ｔによって上下方向に伸縮するときに、互いの伸縮ガイド機構Ｓがぶつかり合って上下方向の伸縮が妨げられるのを防ぐために、（接続）伸縮ガイド機構Ｔには、凸形突起状の補助スライド７が形成されている。なお、補助スライド７の高さ寸法Ｈ3 は該伸縮ガイド機構Ｓの高さ寸法Ａ1 よりも僅かに高く設定されている。つまり、該嵌合された左上半体３と右上半体４は、補助スライド７の高さ寸法Ｈ3 の分だけ浮いた状態で、嵌合された左下半体１と右下半体２に、嵌合される。そのため、（接続）伸縮ガイド機構Ｔに形成されている略包囲部Ｄの高さ寸法Ｄ1 は、伸縮ガイド機構Ｓの略包囲部Ａの高さ寸法Ａ1 と補助スライド７の高さ寸法Ｈ3 を加えた寸法より僅かに高く設定されている。
【００２５】
図15（イ）はジョイント材６の斜視図を示し、図15（ロ）は該ジョイント材６を用いて複数のスライドパネルＰが任意の方向に接続された状態の説明用要部拡大斜視図を示す。  ジョイント材６は弾発部材で形成されており、挟持頭６ａを軸にして、挟持脚６ｂと、挟持脚６ｃと、を備えている。つまり、該挟持脚６ｂと、該挟持脚６ｃと、を接続するスライドパネルＰと、接続されるスライドパネルＰと、それぞれの（接続）伸縮ガイド機構Ｔの接続部Ｊに挿入することで、複数のスライドパネルＰが順次接続される。
【００２６】
例えば、弾発部材で形成されているジョイント材６の挟持脚６ｂと挟持脚６ｃを、接続するスライドパネルＰの左下半体１と、接続されるスライドパネルＰの左下半体１のそれぞれの接続部Ｊに、または接続するスライドパネルＰの左下半体１と、接続されるスライドパネルＰの右下半体２の互いの接続部Ｊに挿入することで、互いの接続部Ｊが接面維持状態となってジョイント材６に挟持されるため、複数のスライドパネルＰは任意の方向──例えば平面視直角──に自在に接続される。
【００２７】
なお、本発明は、設計変更自在であって、例えば（接続）伸縮ガイド機構Ｔに在る、補助スライド７が上下の伸縮をスムーズにしているが、該補助スライド７を無くすも自由である。また、ジョイント材６が複数のスライドパネルＰを方向自在に簡易に接続しているが、付設方向を固定して、接続せずに一体成形をするも自由である。その場合、（接続）伸縮ガイド機構Ｔに形成されている接続部Ｊを無くすも自由である。また、伸縮ガイド機構Ｓと、（接続）伸縮ガイド機構Ｔと、の２種類の伸縮ガイド機構で、長手方向と、上下方向と、の伸縮をしているが、伸縮ガイド機構Ｓのみ、または（接続）伸縮ガイド機構Ｔのみ、で左右長手方向と、上下方向と、の伸縮をするも自由である。
【００２８】
次に、本発明の別の実施の形態について説明する。図16は背面斜視図であり、このスライドパネルＰは、前述の実施の形態の発明と同様に、繊維フィルター５を張設されたスライドパネルＰが、ヨーク付き磁石Ｍによって、（図示省略の）レンジフードＲに取り付けられる。また、図示省略するが、図４と同様に、複数のスライドパネルＰが、ジョイント材６によって、取付角度変更自在に接続された後、コンロＫに設置される。
【００２９】
図16及び図21〜図24に示すように、スライドパネルＰは、金属薄板製乃至金属箔製の左下半体１，右下半体２，左上半体３及び右上半体４から成る４枚の半体Ｈ…を備え、各半体Ｈ…に形成された窓部Ｗ…に、繊維フィルター５…が張設されている。
【００３０】
スライドパネルＰは、左下半体１に対して右下半体２を左右長手方向Ｘに伸縮自在とする第１伸縮ガイド機構Ｓ1 と、左上半体３に対して右上半体４を左右長手方向Ｘに伸縮自在とする第２伸縮ガイド機構Ｓ2 と、左下半体１と右下半体２に対して左上半体３と右上半体４を上下方向Ｙに伸縮自在とする第３伸縮ガイド機構Ｕと、を備える。図16は、スライドパネルＰの（中途までの）伸長状態を示している。
【００３１】
第１伸縮ガイド機構Ｓ1 は、左下半体１と右下半体２のどちらか一方の半体Ｈの上下辺部に付設された内挿ガイド部13，13と、他方の半体Ｈの上下辺部に付設され内挿ガイド部13，13をスライド自在として外包状に保持する外包ガイド部12，12と、上記上下辺部に設けられて左下半体１と右下半体２の左右長手方向の最大伸長を規制するストッパ部Ｚと、を有する。
具体的に説明すると、図17に於て、左下半体１の上下辺部には、外包ガイド部12，12と、該両外包ガイド部12，12の右側に付設され（後述する）右下半体２のストッパ部Ｚ，Ｚと（左右方向最大伸長時に）当接するストッパ部Ｚ，Ｚと、が備えられており、該左下半体１のストッパ部Ｚ，Ｚは、（後述する）右下半体２の上下辺部の内挿ガイド部13，13を、スライド自在として外包状に保持する（図16参照）。
また、図18に於て、右下半体２の上下辺部には、内挿ガイド部13，13と、該内挿ガイド部13，13の左側に付設され左下半体１の上下辺部のストッパ部Ｚ，Ｚと（左右方向最大伸長時に）当接するストッパ部Ｚ，Ｚと、が備えられており、該右下半体２のストッパ部Ｚ，Ｚは、左下半体１の上下辺部の外包ガイド部12，12内に、スライド自在として内挿状に保持されている（図16参照）。
【００３２】
また、第２伸縮ガイド機構Ｓ2 は、左上半体３と右上半体４のどちらか一方の半体Ｈの上下辺部に付設された内挿ガイド部13，13と、他方の半体Ｈの上下辺部に付設され内挿ガイド部13，13をスライド自在として外包状に保持する外包ガイド部12，12と、上記上下辺部に設けられて左上半体３と右上半体４の左右長手方向の最大伸長を規制するストッパ部Ｚと、を有する。
具体的に説明すると、図19に於て、左上半体３の上下辺部には、外包ガイド部12，12と、該両外包ガイド部12，12の右側に付設され（後述する）右上半体４のストッパ部Ｚ，Ｚと（左右方向最大伸長時に）当接するストッパ部Ｚ，Ｚと、が備えられており、該左上半体３のストッパ部Ｚ，Ｚは、（後述する）右上半体４の上下辺部の内挿ガイド部13，13を、スライド自在として外包状に保持する（図16参照）。
また、図20に於て、右上半体４の上下辺部には、内挿ガイド部13，13と、該内挿ガイド部13，13の左側に付設され左上半体３の上下辺部のストッパ部Ｚ，Ｚと（左右方向最大伸長時に）当接するストッパ部Ｚ，Ｚと、が備えられており、該右上半体４のストッパ部Ｚ，Ｚは、左上半体３の上下辺部の外包ガイド部12，12内に、スライド自在として内挿状に保持されている（図16参照）。
【００３３】
次に、第３伸縮ガイド機構Ｕは、左下半体１と左上半体３のどちらか一方の半体Ｈの左側辺部に付設された内挿ガイド部13と、他方の半体Ｈの左側辺部に付設され内挿ガイド部13をスライド自在として外包状に保持する外包ガイド部12と、を有し、かつ、右下半体２と右上半体４のどちらか一方の半体Ｈの右側辺部に付設された内挿ガイド部13と、他方の半体Ｈの右側辺部に付設され内挿ガイド部13をスライド自在として外包状に保持する外包ガイド部12と、を有し、かつ、左側辺部と右側辺部に設けられて左下半体１と右下半体２に対する左上半体３と右上半体４の上下方向の最大伸長を規制するストッパ部Ｚを、有する。
具体的には、図17に於て、左下半体１の左側辺部には、外包ガイド部12と、該外包ガイド部12の上部に付設され（後述する）左上半体３の左側辺部のストッパ部Ｚと（上下方向最大伸長時に）当接するストッパ部Ｚと、が備えられており、該左下半体１のストッパ部Ｚは、（後述する）左上半体３の左側辺部の内挿ガイド部13を、スライド自在として外包状に保持する（図16参照）。
【００３４】
また、図19に於て、左上半体３の左側辺部には、内挿ガイド部13と、該内挿ガイド部13の下部に付設され左下半体１の左側辺部のストッパ部Ｚと（上下方向最大伸長時に）当接するストッパ部Ｚと、が備えられており、該左上半体３のストッパ部Ｚは、左下半体１の左側辺部の外包ガイド部12内に、スライド自在として内挿状に保持されている（図16参照）。
また、図18に於て、右下半体２の右側辺部には、外包ガイド部12と、該外包ガイド部12の上部に付設され（後述する）右上半体４の右側辺部のストッパ部Ｚと（上下方向最大伸長時に）当接するストッパ部Ｚと、が備えられており、該右下半体２のストッパ部Ｚは、（後述する）右上半体４の右側辺部の内挿ガイド部13を、スライド自在として外包状に保持する（図16参照）。
また、図20に於て、右上半体４の右側辺部には、内挿ガイド部13と、該内挿ガイド部13の下部に付設され右下半体２の右側辺部のストッパ部Ｚと（上下方向最大伸長時に）当接するストッパ部Ｚと、が備えられており、該右上半体４のストッパ部Ｚは、右下半体２の右側辺部の外包ガイド部12内に、スライド自在として内挿状に保持されている（図16参照）。
【００３５】
図21〜図25に於て、上述のスライドパネルＰの作用について説明する。
図21，図22は第２伸縮ガイド機構Ｓ2 を示す要部背面図、図23，図24は第３伸縮ガイド機構Ｕを示す要部背面図、図25は図21の断面図であり、図21〜図25に於て、15は、外包ガイド部12，内挿ガイド部13及びストッパ部Ｚに形成された補強折曲部である。
左上半体３を、右上半体４に対して、図21の状態からさらに左右長手方向へ伸長すると、図22のように、ストッパ部Ｚ，Ｚ同士が当接し、長手方向の最大伸長が規制され、左上半体３と右上半体４とは離脱しない。このとき、左下半体１も右下半体２に対して、左上半体３と右上半体４の伸長と同様に（連動して）伸長してストッパ部Ｚ，Ｚ同士が当接し、長手方向の最大伸長が規制され、離脱しない（図16参照）。
【００３６】
また、右下半体２を、右上半体４に対して、図23の状態からさらに上下方向へ伸長すると、図24のように、ストッパ部Ｚ，Ｚ同士が当接し、上下方向の最大伸長が規制され、右下半体２と右上半体４とは離脱しない。このとき、左下半体１も左上半体３に対して、（連動して）伸長してストッパ部Ｚ，Ｚ同士が当接し、右下半体２と右上半体４と同様に上下方向の最大伸長が規制され、離脱しない（図16参照）。
【００３７】
そして、各半体Ｈ…は、第３伸縮ガイド機構Ｕに於て、外包ガイド部12内に内挿ガイド部13が保持されているので、左下半体１と左上半体３と、右下半体２と右上半体４とは、、長手方向に、夫々一体状となって伸縮する。
さらに、各半体Ｈ…は、伸縮ガイド機構Ｓ1 と第２伸縮ガイド機構Ｓ2 に於て、外包ガイド部12内に内挿ガイド部13が保持されているので、左下半体１と右下半体２と、左上半体３と右上半体４とは、上下方向に、夫々一体状となって伸縮する。
【００３８】
また、図示省略するが、第２の実施の形態の発明に、（図15で示す第１の実施の形態の発明の）接続部Ｊを形成して、スライドパネルＰを、設置する対象の形状に応じて伸縮し、弾発部材で形成されたジョイント材６をスライドパネルＰ…の接続部Ｊ…に挿入して接続（連結）し、設置する。
具体的には、コンロＫの形状に応じて、スライドパネルＰの長手方向寸法Ｌ2 と上下方向寸法Ｈ2 を調節して、ジョイント材６で複数のスライドパネルＰ…を接続後、ヨーク付磁石Ｍ等により、コンロＫに適切に設置する（図２，図４参照）。
また、レンジフードＲの取付け面の形状に応じて、スライドパネルＰの長手方向寸法Ｌ2 と上下方向寸法Ｈ2 を調節し、ヨーク付磁石Ｍ等により、取り付ける（図１参照）。
【００３９】
なお、第１，第２伸縮ガイド機構Ｓ1 ，Ｓ2 及び第３伸縮ガイド機構Ｕの伸縮ガイド機構により、スライドパネルＰは、長手方向と上下方向とに伸縮可能であるが、スライドパネルＰが、第１，第２伸縮ガイド機構Ｓ1 ，Ｓ2 のみを有し、左右長手方向のみに伸縮自在とするも自由であり、あるいは、スライドパネルＰが、第３伸縮ガイド機構Ｕのみを有し、上下方向のみに伸縮自在とするも自由である。
【００４０】
上述のように、本発明のスライドパネルＰは、左下半体１と右下半体２と左上半体３と右上半体４から成る４枚の半体Ｈを備え、左下半体１に対して上記右下半体２を左右長手方向に伸縮自在とする第１伸縮ガイド機構Ｓ1 と、左上半体３に対して右上半体４を左右長手方向に伸縮自在とする第２伸縮ガイド機構Ｓ2 と、左下半体１と上記右下半体２に対して左上半体３と右上半体４を上下方向に伸縮自在とする第３伸縮ガイド機構Ｕと、を備えているので、上下方向と、左右長手方向とに、自在に伸縮可能であり、１種類のスライドパネルＰで、あらゆる大きさのレンジフードＲの形状に対応して設置することができる。また簡素な構造であるので、容易かつ安価に製作および購入することができる。
【００４１】
また、第１伸縮ガイド機構Ｓ1 は、左下半体１と右下半体２のどちらか一方の半体Ｈの上下辺部に付設された内挿ガイド部13，13と、他方の半体Ｈの上下辺部に付設され内挿ガイド部13，13をスライド自在として外包状に保持する外包ガイド部12，12と、上下辺部に設けられて左下半体１と右下半体２の左右長手方向の最大伸長を規制するストッパ部Ｚと、を有し、かつ、第２伸縮ガイド機構Ｓ2 は、左上半体３と右上半体４のどちらか一方の半体Ｈの上下辺部に付設された内挿ガイド部13，13と、他方の半体Ｈの上下辺部に付設され内挿ガイド部13，13をスライド自在として外包状に保持する外包ガイド部12，12と、上下辺部に設けられて左上半体３と右上半体４の左右長手方向の最大伸長を規制するストッパ部Ｚと、を有するので、簡素な構造でありながら、外包ガイド部12と内挿ガイド部13により、左右長手方向に、非常にスムーズに伸縮することができ、スライドパネルＰの左右長手方向の長さを、容易に所望の大きさにすることができ、扱い易く好都合である。
また、ストッパＺにより、各半体Ｈ…が長手方向に分離しないので、好都合である。
【００４２】
また、第３伸縮ガイド機構Ｕは、左下半体１と左上半体３のどちらか一方の半体Ｈの左側辺部に付設された内挿ガイド部13と、他方の半体Ｈの左側辺部に付設され内挿ガイド部13をスライド自在として外包状に保持する外包ガイド部12と、を有し、かつ、右下半体２と右上半体４のどちらか一方の半体Ｈの右側辺部に付設された内挿ガイド部13と、他方の半体Ｈの右側辺部に付設され内挿ガイド部13をスライド自在として外包状に保持する外包ガイド部12と、を有し、かつ、左側辺部と右側辺部に設けられて左下半体１と右下半体２に対する左上半体３と右上半体４の上下方向の最大伸長を規制するストッパ部Ｚを、有するので、上下方向へは、外包ガイド部12と内挿ガイド部13により、非常にスムーズに伸縮することができ、スライドパネルＰの上下方向の長さを、容易に所望の大きさにすることができ、扱い易く好都合である。
また、ストッパＺにより、各半体Ｈ…が上下方向に分離しないので、好都合である。
また、外包ガイド部12，内挿ガイド部13及びストッパ部Ｚに補強折曲部15が形成されているので、スライドパネルＰの各伸縮ガイド機構は強固な構造となり、スムーズな伸縮を行い得る。
【図面の簡単な説明】
【００４３】
【図１】本発明に係るスライドパネルの実施の一形態を示す斜視図である。
【図２】ジョイント材で接続して使用する状態を示す他の実施の形態の斜視図である。
【図３】実施の一形態の使用状態を示す斜視図である。
【図４】他の実施の形態の使用状態を示す斜視図である。
【図５】スライドパネルを伸長した状態を示す斜視図である。
【図６】斜視図である。
【図７】スライドパネルを短縮した状態を示す斜視図である。
【図８】斜視図である。
【図９】ジョイント材で接続して使用する状態を示す斜視図である。
【図１０】要部拡大断面図である。
【図１１】右上半体を示す斜視図である。
【図１２】左上半体を示す斜視図である。
【図１３】右下半体を示す斜視図である。
【図１４】左下半体を示す斜視図である。
【図１５】説明用要部拡大斜視図である。
【図１６】別の実施の形態を示す背面斜視図である。
【図１７】左下半体を示す斜視図である。
【図１８】右下半体を示す斜視図である。
【図１９】左上半体を示す斜視図である。
【図２０】右上半体を示す斜視図である。
【図２１】第２伸縮ガイド機構を示す説明用要部背面図である。
【図２２】説明用要部背面図である。
【図２３】第３伸縮ガイド機構を示す説明用要部背面図である。
【図２４】説明用要部背面図である。
【図２５】図21のイ−イ断面図，ロ−ロ断面図，ハ−ハ断面図である。
【符号の説明】
【００４４】
１    左下半体
２    右下半体
３    左上半体
４    右上半体
５    繊維フィルター
６    ジョイント材
６ａ  挟持頭
６ｂ  挟持脚
６ｃ  挟持脚
７    補助スライド
12    外包ガイド部
13    内挿ガイド部
Ａ    略包囲部
Ｂ    略小円管状部
Ｃ    略小円管状部
Ｄ    略包囲部
Ｅ    略小円管状部
Ｆ    略小円管状部
Ｈ    半体
Ｊ    接続部
Ｓ    伸縮ガイド機構
Ｓ1   第１伸縮ガイド機構
Ｓ2   第２伸縮ガイド機構
Ｔ    （接続）伸縮ガイド機構
Ｕ    第３伸縮ガイド機構
Ｗ    窓部
Ｚ    ストッパ部
【図１】
2004205199.tif 000003
【図２】
2004205199.tif 000004
【図３】
2004205199.tif 000005
【図４】
2004205199.tif 000006
【図５】
2004205199.tif 000007
【図６】
2004205199.tif 000008
【図７】
2004205199.tif 000009
【図８】
2004205199.tif 000010
【図９】
2004205199.tif 000011
【図１０】
2004205199.tif 000012
【図１１】
2004205199.tif 000013
【図１２】
2004205199.tif 000014
【図１３】
2004205199.tif 000015
【図１４】
2004205199.tif 000016
【図１５】
2004205199.tif 000017
【図１６】
2004205199.tif 000018
【図１７】
2004205199.tif 000019
【図１８】
2004205199.tif 000020
【図１９】
2004205199.tif 000021
【図２０】
2004205199.tif 000022
【図２１】
2004205199.tif 000023
【図２２】
2004205199.tif 000024
【図２３】
2004205199.tif 000025
【図２４】
2004205199.tif 000026
【図２５】
2004205199.tif 000027